(57)【要約】【課題】回転体の前面からほぼ一様に光が出射する回転装飾装置を提供する。【解決手段】シャフト孔１３９を有し、シャフト孔１３９を貫通するシャフト１１を回転軸として回転自在に配置される回転体１３と、回転体１３の入光面１３２に対向して配置される光源部１６とで回転装飾装置１０を構成する。回転体１３は、前面より光源部１６からの光を出射する散乱部１３５と、散乱部１３５の背面側に設けられ、且つ散乱部１３５へ入光面１３２から入射した光を導く導光部１３１とを有し、散乱部１３５は、シャフト１１から外周端までの平均距離が導光部１３１の対応する平均距離よりも大きく、且つ導光部１３１からの光の少なくとも一部を反射する反射面１３６と、背面側に配置され、反射面１３６で反射された光を散乱させる散乱面１３７とを有する。【選択図】図６
2007144023.tif 000002
【特許請求の範囲】
【請求項１】
シャフト孔を有し、該シャフト孔を貫通するシャフトを回転軸として回転自在に配置される回転体と、
前記回転体の入光面に対向して配置される光源部とを備え、
前記回転体は、前面より前記光源部からの光を出射する散乱部と、該散乱部の背面側に設けられ、且つ該散乱部へ入光面から入射した光を導く導光部とを有し、該散乱部は、前記シャフトから外周端までの平均距離が該導光部の該平均距離よりも大きく、且つ該導光部からの光の少なくとも一部を反射する反射面と、背面側に配置され、該反射面で反射された光を散乱させる散乱面とを有することを特徴とする回転装飾装置。
【請求項２】
前記導光部の外周が円形である、請求項１に記載の回転装飾装置。
【請求項３】
前記散乱部は、前記シャフトから離れるにつれて前面端から背面端までの厚さが減少する、請求項１又は２に記載の回転装飾装置。
【請求項４】
前記光源部は、互いに異なる発光色を有する複数の光源を有し、該複数の光源のそれぞれは、前記シャフトを中心とした円周上の異なる位置に配置され、且つ前記入光面は、前記導光部の光源部側端面の一部のみに形成される、請求項１〜３の何れか一項に記載の回転装飾装置。
【請求項５】
前記回転体の外周に配置され、前記導光部及び前記散乱部の散乱面の一部又は全てを覆う回転体カバーを有する、請求項１〜４の何れか一項に記載の回転装飾装置。
【請求項６】
遊技盤を備える遊技機であって、
前記遊技盤の前面に、請求項１〜５の何れか一項に記載の回転装飾装置を少なくとも１個有し、且つ、
所定の力で遊技球を発射する操作部と、
前記操作部で発射された遊技球を前記遊技盤の上方へ誘導するレールと、
遊技球が入ると複数個の遊技球を払出す入賞装置と、
を有することを特徴とする遊技機。
【発明の詳細な説明】
【技術分野】
【０００１】
本発明は、回転装飾装置及び遊技機に関し、より詳しくは回転体から光を出射する回転装飾装置及びそのような回転装飾装置を備えた遊技機に関する。
【背景技術】
【０００２】
従来、パチンコ機をはじめとする遊技機の遊技盤には、遊技者の興趣を高めるために、様々な装飾装置が用いられてきた。その中でも、パチンコ機においては、盤上を落下する遊技球によって回転し、遊技球の落下方向を変えるための回転体は、遊技者にとって注目の集まる部分であるため、回転体用の様々な装飾装置が開発されている。
【０００３】
例えば、回転体の前面プレートを透光性部材にして、基体に取り付けられた発光ユニットから前面プレートに向けて光を照射する遊技機用発光装置が知られている(特許文献１参照）。この遊技機用発光装置では、さらに回転体の裏側外縁部に反射面が設けられ、反射光により遊技機用発光装置の周囲の盤面もあわせて照明する。
【０００４】
しかし、特許文献１に記載の遊技機用発光装置では、発光ユニットから導出される光を直接前面プレートに照射するため、前面プレートのうち、光源の直上にあたる部分は明るく照明されるが、回転体の外縁部に近づくにつれて、前面プレートの照明は暗くなり、前面プレートを一様に照明することは困難であった。また、回転体の羽根と光源との位置関係によっては、羽根の影が前面プレートに投射され、照明にムラを生じる場合もあった。さらに、遊技球の通過の際にも、同様に遊技球により生じた影が前面プレートに投射され、照明にムラを生じる場合もあった。
【０００５】
一方、パイプ状の遮光性を有する外側シャフト部と、シャフト部の内部に一体に組み付けられた棒状の透光性を有する内側シャフトからなる導光シャフトを有し、内側シャフトの後端部より光を入射し、風車体の前面にある発光部を照射する可動電飾装置が知られている（特許文献２参照）。
【０００６】
しかしながら、特許文献２に記載された可動電飾装置では、球受け部（すなわち、羽根）の上部を光らせることが出来ないため、風車体前面の発光可能面積が小さい。また、導光シャフトは、プラスチックで形成されるため、強度を考慮するとシャフトの径を大きくしなければならず、したがってシャフトと軸受けの接触面積が大きくなり、回転摩擦力が増えるために回転し難くなるという問題があった。
【０００７】
【特許文献１】特開２００１−１９０７５１号公報
【特許文献２】特開平８−１７３５９８号公報
【発明の開示】
【発明が解決しようとする課題】
【０００８】
上記の問題点に鑑み、本発明は、回転体の前面からほぼ一様に光が出射する回転装飾装置及びそのような回転装飾装置を備えた遊技機を提供することを目的とする。
【０００９】
また本発明の別の目的として、光量の損失を少なくして光源からの光を効率よく回転体の装飾に利用できる回転装飾装置及びそのような回転装飾装置を備えた遊技機を提供することを目的とする。
【００１０】
本発明のさらに別の目的として、落下する遊技球の接触により回転体が回転して遊技球を振り分ける機能を損なわず、回転体の前面からほぼ一様に光が出射する回転装飾装置及びそのような回転装飾装置を備えた遊技機を提供することを目的とする。
【課題を解決するための手段】
【００１１】
上記の目的を達成するために、本発明に係る回転装飾装置は、シャフト孔を有し、シャフト孔を貫通するシャフトを回転軸として回転自在に配置される回転体と、回転体の入光面に対向して配置される光源部とを備え、回転体は、前面より光源部からの光を出射する散乱部と、散乱部の背面側に設けられ、且つ散乱部へ入光面から入射した光を導く導光部とを有し、散乱部は、シャフトから外周端までの平均距離が導光部の平均距離よりも大きく、且つ導光部からの光の少なくとも一部を反射する反射面と、背面側に配置され、反射面で反射された光を散乱させる散乱面とを有することを特徴とする。
【００１２】
光源からの光線を、回転体内を伝播させるため、遮光されるおそれなく回転体の前面まで伝播させることができ、その光線を反射面及び散乱面で散乱させて回転体から出射させるため、回転体の前面をほぼ一様に光らせることができる。また、シャフト内を光線伝播させる必要がないため、シャフトに金属のような剛性の高い材質を使用できるので、シャフト自体を細くすることができ、回転摩擦力の増大を抑制することができる。
【００１３】
また、導光部の外周が円形であることが好ましい。導光部の外周面がシャフトを中心とする曲面に形成されるので、光源からの光線が外周面で反射される際にシャフトの周囲を回るように伝播し、光源との位置関係による到達光量の差を少なくすることができるためである。
【００１４】
さらに、散乱部は、シャフトから離れるにつれて前面端から背面端までの厚さが減少することが好ましい。散乱部の外周端から出射する光線の量を少なくして、光量のロスを少なくできるためである。
【００１５】
また、光源部は、互いに異なる発光色を有する複数の光源を有し、複数の光源のそれぞれは、シャフトを中心とした円周上の異なる位置に配置され、且つ入光面は、導光部の光源部側端面の一部のみに形成されることが好ましい。回転体が回転するだけで、入光面と向き合う光源が異なるため、回転体の前面が異なる色で発光しているように見せることが可能になるためである。特に、入光面はシャフトを中心とする扇形であることが好ましく、さらに扇の中心角は、１８０°以下であることが好ましい。
【００１６】
さらに、回転装飾装置は、回転体の外周に配置され、導光部及び散乱部の散乱面の一部又は全てを覆う回転体カバーを有することが好ましい。遊技盤上を落下する遊技球が、直接回転体に接触することによる回転体の破損を防止できるためである。なお、回転体カバーは、導光部及び散乱面が直接外部と触れる面を有さないように完全に覆うものに限らず、導光部及び散乱面の一部が直接外部と触れる孔部を有してもよい。ただし、そのような孔部を有する場合でも、遊技球が直接回転体に触れることが無いように、遊技球の直径（一般に、１１ｍｍ）と回転体カバーの厚みに基づいて、孔部の幅は制限される。
【００１７】
また、本発明に係る遊技盤を備える遊技機は、遊技盤の前面に、上記の何れかの回転装飾装置を少なくとも１個有し、且つ、所定の力で遊技球を発射する操作部と、操作部で発射された遊技球を遊技盤の上方へ誘導するレールと、遊技球が入ると複数個の遊技球を払出す入賞装置と、を有することを特徴とする。
【発明の効果】
【００１８】
本発明によれば、回転体の前面からほぼ一様に光が出射する回転装飾装置及びそのような回転装飾装置を備えた遊技機を提供することが可能となる。
【００１９】
また本発明によれば、光量の損失を少なくして光源からの光を効率よく回転体の装飾に利用できる回転装飾装置及びそのような回転装飾装置を備えた遊技機を提供することが可能となる。
【００２０】
さらに本発明によれば、落下する遊技球の接触により回転体が回転して遊技球を振り分ける機能を損なわず、回転体の前面からほぼ一様に光が出射する回転装飾装置及びそのような回転装飾装置を備えた遊技機を提供することが可能となる。
【発明を実施するための最良の形態】
【００２１】
以下、図面を参照しつつ本発明に係る回転装飾装置及び回転装飾装置を備えた遊技機について詳細に説明する。
【００２２】
図１に、本発明の第１の実施形態に係る回転装飾装置を備えた遊技機１の概略斜視図を示す。図１に示すように、遊技機１は、上部から中央部の大部分の領域に設けられた遊技盤２と、下部に配設された球受け部３及びハンドルを備えた操作部４などで構成される。遊技者の操作に応じて、操作部４の回動量に応じて図示しない発射装置より所定の力で遊技球を発射する。発射された遊技球は、遊技盤２の側方に設けられたレール５に沿って上方へ移動し、遊技盤２上に設けられた多数の障害釘６の間を落下する。遊技盤２には、障害釘６の他に、液晶表示装置などで構成され、遊技者に様々な情報を提供する表示装置７と、表示装置７の周囲に配置され、遊技の演出に用いられる役物部８と、遊技球が入ると複数個の遊技球を獲得することができる入賞装置９などが配設されている。
【００２３】
さらに、遊技盤２上には、遊技球が接触することにより回転し、その回転によって遊技球を不規則な方向に導く、本発明の第１の実施形態に係る回転装飾装置１０が配設されている。
そして、遊技機１は、回転装飾装置１０に設けられた光源部により、回転装飾装置の前面から光を出射させて、遊技者の興趣を高めるようにしたものである。
なお、以下の説明では、遊技盤２の前面側、すなわち遊技者から見える方の面を前面と呼び、遊技盤２の裏面側から見える面を背面と呼ぶ。
【００２４】
次に、本発明の第１の実施形態に係る回転装飾装置１０について、詳細に説明する。
図２（ａ）に、回転装飾装置１０を前面斜め上方から見た分解斜視図を示し、図２（ｂ）に、回転装飾装置１０を背面斜め上方から見た分解斜視図を示す。また、図３（ａ）に、回転装飾装置１０を前面斜め上方から見た概略斜視図を示し、図３（ｂ）に、回転装飾装置１０を背面斜め上方から見た概略斜視図を示す。さらに、図４に、遊技機１と回転装飾装置１０を分解して展開した分解斜視図を示す。
【００２５】
図２及び図３に示すように、回転装飾装置１０は、回転装飾装置１０の回転軸となるシャフト１１と、シャフト１１に取り付けられ、遊技球の接触により回転するとともに、前面から光を出射する回転体ユニット１２と、回転装飾装置１０を遊技機１の遊技盤２に取り付けるための取付ベース１５と、取付ベース１５に設けられ、回転体ユニット１２に光を供給する光源部１６と、シャフト１１を固定するためのシャフト止め１７で構成される。また、回転体ユニット１２は、光源部１６から照射された光線を内部で伝播させ、前面から出射する回転体１３と、回転体１３の側面を覆うように配置され、回転体１３を保護する回転体カバー１４で構成される。
【００２６】
本発明の第１の実施形態に係る回転装飾装置１０は、遊技球が回転体カバー１４に設けられた羽根１４１に接触することで、遊技球から加えられた力に応じて、シャフト１１を回転軸として回転するものであり、一方、光源部１６から照射された光線を回転体１３の内部を伝播させて回転体１３の前面から出射させることによって、光のロスを少なくし、且つ羽根１４１の影が投影されることなく、回転体１３の前面をムラなく一様に光らせることを可能にしたものである。
【００２７】
以下、回転装飾装置１０の各部について詳細に説明する。
シャフト１１は、回転体ユニット１２の前面から、取付ベース１５の背面まで貫通する円柱形状を有し、取付ベース１５に回転自在に取り付けられている。また、前面側端部には、回転体１３のシャフト孔１３９よりも大きい直径を有する円盤状の留め部１１１が形成されており、取付ベース１５の背面でシャフト１１に取り付けられるシャフト止め１７とともに、回転体ユニット１２が、シャフト１１から外れることを防止している。また、シャフト１１は、遊技盤２上を落下する遊技球から力を加えられるため、そのような接触で破損することがないように、鉄、ステンレスなどの金属で構成される。
【００２８】
回転体ユニット１２は、遊技球の接触により回転し、遊技球の落下方向を不特定に変化させるものであり、図２及び図３に示すように、シャフト１１を回転中心とし、円柱状の導光部１３１及び導光部１３１の前面側に一体的に形成され、導光部１３１よりも直径が大きく、シャフト１１から離れるにつれて厚さが減少する円盤状の散乱部１３５からなる回転体１３と、回転体１３の導光部１３１及び散乱部１３５の背面を覆うように配置される回転体カバー１４で構成される。そして、回転体１３は、光源部１６からの光線を導光部１３１の背面側端部に形成された入光面１３２から入射させ、内部伝播させて、前面側の天井面１３８から出射させ、遊技者には天井面１３８が一様に発光して見えるように構成される。
【００２９】
図５（ａ）に、回転装飾装置１０を遊技盤２に向かって右側から見た概略側面図を示し、図５（ｂ）に、図５（ａ）の矢視Ａ−Ａによる概略断面図を示す。
【００３０】
回転体１３は、ポリメチルメタクリレート（ＰＭＭＡ）又はポリカーボネート（ＰＣ）などの光学プラスチックのような透光性の部材からなる。本実施形態では、一例としてＰＭＭＡで形成した。また、図２（ｂ）及び図５（ｂ）に示すように、回転体１３には、中心部にシャフト１１を挿通させるシャフト孔１３９が形成されている。そして、回転体１３の導光部１３１の背面側端面には、光源部１６に近接し、対向して入光面１３２が設けられる。また、導光部１３１のシャフト１１側の内壁面１３３及び外壁面１３４は、それぞれ導光部１３１の内部を伝播する光が反射可能な光学面を形成する。
【００３１】
また、導光部１３１の前面側には、導光部１３１よりも直径が大きい散乱部１３５が導光部１３１と一体的に形成され、回転体１３は、全体として前面側が開放されたラッパ状に形成されている。本実施形態では、導光部１３１の直径を６．５ｍｍ、散乱部１３５の直径を２５ｍｍとした。また、散乱部１３５の前面側中央部には、回転体１３の前面から、シャフト孔１３９へ向けて４５°の角をなす反射面１３６がシャフト孔１３９の周囲に形成されている。さらに、散乱部１３５の背面側には、シャフト１１を中心とする同心円状に形成された複数のＶ字状溝を有する散乱面１３７が形成されている。ここで、反射面１３６は、導光部１３１を直進する光線を散乱面１３７へ向けて反射可能できるように、直径が導光部１３１と同じ６．５ｍｍを有している。また、散乱面１３７に、溝の頂角が９０°であるＶ字状溝を同心円状に０．３ｍｍピッチで形成した。しかし、散乱面の溝の形状は、これに限られるものではなく、溝の幅をもっと狭く、又はもっと広くしてもよい。また、溝の頂角の角度をより広く、又はより狭く設定してもよい。さらに、Ｖ字状の溝の代わりに、Ｕ字状の溝でも、半球状の点又は窪みで構成してもよい（なお、それぞれの溝形状について、天井面１３８側に溝の凸面が形成されるものとする）。Ｕ字状又は半球状の点又は窪みに形成すると、溝に入射した光線が散乱される角度が拡がるため、天井面１３８が光って見える範囲が広くなる。一方、溝の頂角が鋭角な場合には、天井面１３８が光って見える範囲は、相対的に天井面１３８の正面近傍に限定されるものの、より明るく光っているように見える。
【００３２】
一方、散乱部１３５の前面側の天井面１３８は、回転体１３の内部を伝播してきた光が回転体１３の外部へ出射可能な光学面となっている。なお、散乱部１３５は、シャフト１１から離れるにつれて、散乱面１３７が徐々に天井面１３８に近づくように、中心が厚く、端部が薄いコマ状の形状となっている。このような形状とすることで、散乱部１３５の外周端面から漏出する光の量を減らし、その代わりに散乱面１３７で散乱される光量を増加させることができる。本実施形態では、散乱面１３７と天井面１３８のなす角が１０°となるように構成した。しかし、散乱面１３７と天井面１３８のなす角は、１０°に限られず、回転体１３の設計仕様に応じて、適宜最適な角度に設定することができる。
【００３３】
回転体カバー１４は、その内径が回転体１３の導光部１３１及び散乱部１３５の散乱面１３７の外側に密接するように形成され、外径が前面側から背面側に向かうにつれて、徐々に直径が小さくなるラッパ状の形状を有する。また、回転体カバー１４の外形には、遊技盤２上を落下する遊技球との接触可能面を広くして回転を生じ易いように、シャフト１１から放射状に、互いに１２０°の間隔で３枚の羽根１４１が設けられている。なお、羽根の配置角度及び枚数はこれに限らず何でもよい。さらに、回転体カバー１４は、回転体１３の内部を伝播する光が側面から漏出させず、遊技球との接触による摩耗又は破損が生じ難いように、ＡＢＳ樹脂など、不透明で且つ回転体１３と比較して強度に優れたプラスチックで形成される。
【００３４】
取付ベース１５は、シャフト１１及び回転体ユニット１２の軸受けとして機能する。また、図２及び図３に示すように、取付ベース１５は、平板状のベース部１５１と、ベース部１５１の背面に設けられた軸受け部１５２から構成され、プラスチックで形成される。
【００３５】
ベース部１５１の略中央部には、回転体ユニット１２が遊嵌される回転体孔１５１ａと、ネジ孔１５１ｂ、１５１ｃが形成されている。そして、図４に示すように、取付ベース１５はネジ孔１５１ｂ、１５１ｃを通して遊技盤２に固定される。
また、軸受け部１５２には、シャフト１１を回転自在に軸支するように軸受け孔１５２ａが形成されている。また、軸受け孔１５２ａは、シャフト１１の直径と略等しい径を有し、回転孔１５１ａと中心が略一致するように形成される。
さらに、取付ベース１５は、ベース部１５１の背面に近接して、軸受け部１５２に光源部１６を嵌め込むための光源部取付ガイド１５３が形成されている。光源部取付ガイド１５３は、ベース部１５１に略平行な溝として形成される。
【００３６】
光源部１６は、回転体１３の天井面１３８が光っているように遊技者に見せるための光線を供給するものであり、図２（ａ）及び（ｂ）に示すように、プリント基板（ＰＷＢ）１６１と、ＰＷＢ１６１に取り付けられた光源であるＬＥＤ１６２などで構成される。
【００３７】
ＰＷＢ１６１には、図示しない演出用ＣＰＵからＬＥＤ１６２を制御するための信号及び電力を供給する電気配線を接続するコネクタ１６３が上部背面側に形成されている。また、プリント基板１６１の略中央部には、シャフト１１を貫通させるプリント基板孔１６１ａと、その下部にＬＥＤ１６２を取り付けるＬＥＤ取付孔１６１ｂが形成されている。そして、ＬＥＤ１６２を背面実装可能なように、ＰＷＢ１６１の背面側、且つＬＥＤ取付孔１６１ｂの周囲に、ＬＥＤ取付用の端子が形成されている。
【００３８】
光源であるＬＥＤ１６２は、回転体１３の天井面１３８から一様に光線が出射するように、広拡散タイプのものが使用される。本実施形態では、一例として指向半値角が５０°のＬＥＤが使用される。ただし、ＬＥＤ１６２と回転体１３の入光面１３２が離れるにつれて、回転体１３に入射する光量が減少し、光量のロスが増加するため、ＬＥＤ１６２の指向半値角は、ＬＥＤ１６２の中心から入光面１３２の端部を望んだ場合の見込み角と略等しいことが好ましい。
【００３９】
また、ＬＥＤ１６２として、半球状の発光部の下部に平板状に形成された電極を有する、逆付け実装可能な面実装タイプが使用される。そして、ＬＥＤ１６２は、その発光部がＬＥＤ取付孔１６１ｂに収まるようにＰＷＢ１６１の背面側に実装される。このような面実装タイプのＬＥＤを使用して逆付け実装することにより、光源部１６の厚さを低減することができるため、回転装飾装置１０を小型化できる。しかし、ＬＥＤ１６２は、面実装タイプのＬＥＤに限られず、他のタイプのＬＥＤを使用してもよい。また、光源としてＬＥＤの代わりに小型電球、無機ＥＬ素子若しくは有機ＥＬ素子のような他の発光素子を使用してもよい。さらに、光源自体は、入光面１３２と離れた位置に配置して、光ファイバなどの導光部材で、入光面１３２に近接するところまで、光源からの光を導光するように構成してもよい。
また、ＬＥＤ１６２は、コネクタ１６３を通じて図示しない演出用ＣＰＵからの制御信号に基づいて明滅、若しくは発光輝度を変化させ、遊技の状況に応じた装飾を可能にしている。
【００４０】
次に、本発明の第１の実施形態に係る回転装飾装置１０の動作を説明する。
図６（ａ）に、光源から出射した光が導光部を経て回転体前面から出射する様子を示す。また図６（ｂ）に、散乱面での光の散乱の様子を表す、図６（ａ）の詳細Ａ部分の拡大図を示す。
【００４１】
まず、光源部１６のＬＥＤ１６２から発した光は、回転体１３の入光面１３２から回転体１３の導光部１３１に入射する。回転体１３の導光部１３１に入射した光は、内壁面１３３及び外壁面１３４の間を反射しながら、散乱部１３５へ向かう。ここで、導光部１３１は、円筒形状を有しているため、内壁面１３３はシャフト１１に対して直交する平面では凸面鏡として機能し、また外壁面１３４はシャフト１１に対して直交する平面では凹面鏡として機能する。そのため、図６（ａ）の光線ｒ1のように、ＬＥＤ１６２から発した光の一部は、シャフト１１の周りを周回するように反射されながら散乱部１３５へ向かう。そのため、光源をシャフト１１の周囲全体を囲むように配置しなくとも、ＬＥＤ１６２の正面だけでなく、シャフト１１を挟んで、ＬＥＤ１６２の反対側にも光が届くため、散乱部１３５全体に光を供給することができる。
【００４２】
散乱部１３５に届いた光線の一部は、反射面１３６を透過して回転体１３の前面側から出射する。また、散乱部１３５に届いた光線の他の一部は、反射面１３６で反射又は全反射されて、散乱部１３５の内部を、シャフト１１から離れるように外周側へ拡がっていく。反射面１３６で反射又は全反射した光の大部分は、散乱部１３５の背面側に設けられた散乱面１３７で散乱され、天井面１３８を通過して回転体１３を出射する。そのため、遊技者は、回転体１３の天井面１３８全体が光っているように見える。ここで、散乱面１３７は、外周に向かうにつれて、散乱面１３７が天井面１３８に近づくように構成されているため、散乱部１３５の外周端面から出射する光線が少なく、光量のロスが少ない。また反射面１３６上の任意の点から散乱面１３７を望んだ場合における、散乱面１３７の外周端から内周端までの見込み角が、散乱面１３７を天井面１３８と平行に形成した場合と比較して大きくなるため、シャフト１１からの距離による変化が相対的に少なくなり、一様に天井面１３８から光線が出射する。そのため、遊技者からは、回転体１３の天井面１３８が、一様に光っているように見える。
【００４３】
なお、散乱部１３５の外周面の散乱面１３７側を、例えば４５°で面取りすることにより、外周面の面積を減らすとともに、その面取り面で反射された光が天井面１３８を通して出射するため、光量のロスを減らすことができる。また、光量のロスをさらに減らすために、散乱部１３５の外周面に金属薄膜を蒸着して反射面とし、外周面から出射する光をなくすように構成してもよい。
【００４４】
次に、本発明に係る回転装飾装置の第２の実施形態である回転装飾装置２０について、詳細に説明する。
本発明に係る回転装飾装置の第２の実施形態である回転装飾装置２０は、光源部に発光色の異なる複数のＬＥＤを有し、回転装飾装置２０の前面が一様に発光するとともに、回転装飾装置２０の回転によってその発光色が変化し、遊技者の興趣を高めるようにしたものである。
【００４５】
図７（ａ）に、回転装飾装置２０を前面斜め上方から見た分解斜視図を示し、図２（ｂ）に、回転装飾装置２０を背面斜め上方から見た分解斜視図を示す。なお、図７（ａ）及び（ｂ）において、第１の実施形態である回転装飾装置１０と同様の機能・構成を有するものについては、同一の符号で表す。
【００４６】
図７（ａ）及び（ｂ）に示すように、回転装飾装置２０は、回転装飾装置１０と同様に、シャフト１１と、シャフト１１に取り付けられ、遊技球の接触により回転するとともに、前面から光を出射する回転体ユニット２２と、取付ベース１５と、取付ベース１５に設けられ、複数の発光色の異なる光源を有する光源部２６と、シャフト止め１７で構成される。また、回転体ユニット２２は、光源部２６から照射された光線を内部で伝播させ、前面から出射する回転体２３と、回転体２３の周囲に配置され、回転体２３を保護するとともに、回転体２３の入光面の一部を光源部２６から遮蔽する回転体カバー２４で構成される。
【００４７】
本発明に係る回転装飾装置の第２の実施形態である回転装飾装置２０は、第１の実施形態である回転装飾装置１０と比較して、光源部２６が発光色の異なる複数の光源を有すること、及び回転体２３の入光面２３２に、同時には一部の光源の光のみ入射させるように構成した点で異なり、他は同一である。そこで、以下では、第１の実施形態である回転装飾装置１０との相違点についてのみ説明する。
【００４８】
光源部２６は、光源として赤色ＬＥＤ２６２ａ、緑色ＬＥＤ２６２ｂ、青色ＬＥＤ２６２ｃの３個のＬＥＤを有する。これらＬＥＤ２６２ａ〜２６２ｃは、それぞれ逆付け実装可能な面実装タイプのＬＥＤである。そして、ＬＥＤ２６２ａ〜２６２ｃは、プリント基板２６１のシャフト孔２６１ｄの周囲に、互いに１２０°の角をなすように形成されたＬＥＤ取付孔２６１ａ〜２６１ｃに発光部が収まり、プリント基板２６１の前面から発光部が見えるように、それぞれ、逆付け実装される。
【００４９】
回転体２３は、光源部２６側端面が半円状に切り欠き形成されている。一方、回転体カバー２４の光源部２６側端面には、回転体２３の切り欠き部２３１と光源部２６の間を遮蔽し、回転体２３の切り欠きされていない端面が嵌合するように略半円状の導光路２４２が形成されている。そして、導光路２４２を介して、直接光源部２６と向き合う回転体２３の端面が、入光面２３２となる。
【００５０】
図を用いて、回転体２３の入光面２３２と、光源部２６の各ＬＥＤ２６２ａ〜２６２ｃとの位置関係を説明する。
図８（ａ）に、各ＬＥＤ２６２ａ〜２６２ｃと回転体ユニット２２を背面から見た概略斜視図を示す。また図８（ｂ）に、各ＬＥＤ２６２ａ〜２６２ｃの発光部と入光面２３２の位置関係を示した回転体ユニット２２の背面図を示す。図８においては、説明の明確化のために、取付ベース１５などは省略している。
【００５１】
図８（ａ）及び（ｂ）に示されるように、入光面２３２は、半円状となっており、一方、各ＬＥＤ２６２ａ〜２６２ｃは、互いに１２０°の角をなして配置されているため、入光面２３２に同時に向かい合うＬＥＤは最大２個である。また回転体２３の回転に伴って入光面２３２が回転すると、順次向かい合うＬＥＤが変わり、それに伴って回転体２３の天井面２３８から出射する光の成分も変化し、遊技者にとっては、回転体２３の天井面２３８が、回転体２３の回転に伴って異なる色に発光しているように見える。
【００５２】
例えば、図８（ｂ）においては、入光面２３２は、赤色ＬＥＤ２６２ａの発光部とは半分、緑色ＬＥＤ２６２ｂとは完全に重なっている。その一方で、青色ＬＥＤ２６２ｃと入光面２３２は、重なっている部分がない。そのため、入光面２３２を経て回転体２３に入射する光としては、緑色ＬＥＤ２６２ｂからの光量が最も多く、その約半分の光量が赤色ＬＥＤ２６２ａから入射する。しかし、青色ＬＥＤ２６２ｃからの光は、殆ど回転体２３には入射しない。そのため、遊技者は、回転体２３の天井面２３８が、緑色と赤色が約２：１の比率で加法混色されたような色で光っているように見える。
【００５３】
そして、回転体ユニット２３が、図８（ｂ）において時計周りに回転すると、入光面２３２と赤色ＬＥＤ２６２ａとの重なりが徐々に減少する。そのため、回転体２３に入射する赤色光が減少し、回転体２３の天井面２３８から出射する光は、徐々に緑色に近づいていく。
さらに回転体ユニット２３が回転すると、入光面２３２と青色ＬＥＤ２６２ｃが重なりはじめるため、回転体２３に青色光が入射するようになる。そのため、回転体２３の天井面２３８から出射する光は、徐々に青味を帯びていく。そして、入光面２３２と緑色ＬＥＤ２６２ｂの発光部との重なりが減少するにつれて、徐々に回転体２３に入射する緑色光が減少し、回転体２３の天井面２３８から出射する光は、徐々に青の単色に近づいていく。
【００５４】
このように、回転装飾装置２０では、回転体２３が回転するにつれて、回転体２３の天井面２３８から出射する光の色が、緑から青、青から赤、赤から緑、緑から青と順番に、且つ中間色を経ながら徐々に変化するため、各ＬＥＤをそれぞれ別個に明滅させるなどの制御を行わなくても、幻想的な光の演出を行うことができる。なお、回転体２３が上記と逆向きの回転する場合、回転体２３の天井面２３８から出射する光の色は、緑から赤、赤から青、青から緑、緑から赤と、逆向きに、且つ中間色を経ながら徐々に変化する。
【００５５】
以上、本発明に係る回転装飾装置について、実施例を用いて説明してきたが、本発明に係る回転装飾装置は、上記の実施形態に限定されるものではない。例えば、回転体の天井面の一部にカラーフィルタなどを貼付して、模様を形成してもよい。同様に、回転体の散乱面に、Ｖ字状の溝、Ｕ字状の溝、半球状の点または窪みなどのドットパターンで模様・図柄を形成させてもよい。また、回転体の外周形状を、六角形や八角形などの多角形としてもよい。さらに、回転体カバーの内壁を反射鏡とし、導光部を単なる空隙とし、散乱部のみを回転体として形成してもよい。
また、本発明に係る回転装飾装置は、回胴式遊技機のように、遊技球を使用しない遊技機においても、回転装飾装置のシャフトをモータで駆動して回転させて使用することもできる。このように、本発明の範囲内で適宜変更及び修正を行うことが可能である。
【図面の簡単な説明】
【００５６】
【図１】本発明に係る回転装飾装置を備えた遊技機の概略斜視図である。
【図２】（ａ）は本発明に係る回転装飾装置を前面から見た分解斜視図であり、（ｂ）は本発明に係る回転装飾装置を背面から見た分解斜視図である。
【図３】（ａ）は本発明に係る回転装飾装置を前面から見た概略斜視図であり、（ｂ）は本発明に係る回転装飾装置を背面から見た概略斜視図である。
【図４】本発明に係る回転装飾装置と遊技機の分解斜視図である。
【図５】（ａ）は本発明に係る回転装飾装置の概略側面図であり、（ｂ）は（ａ）の矢視Ａ−Ａにおける回転装飾装置の断面図である。
【図６】（ａ）は光源から出射した光が導光部を経て回転体前面から出射する様子を示す概略説明図であり、（ｂ）は散乱面での光の散乱の様子を示す、（ａ）の詳細Ａ部分の拡大説明図である。
【図７】（ａ）は本発明の第２の実施形態に係る回転装飾装置を前面から見た分解斜視図であり、（ｂ）は本発明の第２の実施形態に係る回転装飾装置を背面から見た分解斜視図である。
【図８】（ａ）は本発明の第２の実施形態に係る回転装飾装置の回転体ユニットと光源部のＬＥＤの位置関係を表す概略斜視図であり、（ｂ）は本発明の第２の実施形態に係る回転装飾装置の回転体ユニットとＬＥＤの位置関係を表す概略背面図である。
【符号の説明】
【００５７】
１    遊技機
２    遊技盤
３    球受け部
４    操作部
５    レール
６    障害釘
７    表示装置
８    役物部
９    入賞装置
１０    回転装飾装置
１１    シャフト
１１１    留め部
１２    回転体ユニット
１３    回転体
１３１    導光部
１３２    入光面
１３３    内壁面
１３４    外壁面
１３５    散乱部
１３６    反射面
１３７    散乱面
１３８    天井面
１３９    シャフト孔
１４    回転体カバー
１４１    羽根
１５    取付ベース
１５１    ベース部
１５１ａ    回転体孔
１５１ｂ、１５１ｃ    ネジ孔
１５２    軸受け部
１５２ａ    軸受け孔
１５３    光源部取付ガイド
１６    光源部
１６１    プリント基板
１６１ａ    プリント基板孔
１６１ｂ    ＬＥＤ取付孔
１６２    ＬＥＤ
１６３    コネクタ
１７    シャフト止め
２０    回転装飾装置
２３    回転体
２３１    切り欠き部
２３２    入光面
２３８    天井面
２４    回転体カバー
２４２    導光路
２６    光源部
２６１    プリント基板
２６１ａ、２６１ｂ、２６１ｃ    ＬＥＤ取付孔
２６１ｄ    シャフト孔
２６２ａ    赤色ＬＥＤ
２６２ｂ    緑色ＬＥＤ
２６２ｃ    青色ＬＥＤ
ｒ1    光線
【図１】
2007144023.tif 000003
【図２】
2007144023.tif 000004
【図３】
2007144023.tif 000005
【図４】
2007144023.tif 000006
【図５】
2007144023.tif 000007
【図６】
2007144023.tif 000008
【図７】
2007144023.tif 000009
【図８】
2007144023.tif 000010